(57)【要約】【課題】  複数の発光素子を点灯させる制御を行なってから各発光素子が実際に点灯するまでの遅延時間の増大を防ぐことが可能な発光制御回路ならびにそれを備えた照明装置および携帯情報端末を提供する。【解決手段】  発光制御回路は、発光素子Ｄ１〜Ｄ３に供給するための電流を発生する電流源回路Ｋ１〜Ｋ３と、発光素子Ｄ１〜Ｄ３に対応して配置され、電流源回路Ｋ１〜Ｋ３が発生した電流を発光素子Ｄ１〜Ｄ３にそれぞれ供給するか否かを切り替えるスイッチＳＷ１〜ＳＷ３と、スイッチＳＷ１〜ＳＷ３を制御して、電流源回路Ｋ１〜Ｋ３が発生した電流を発光素子Ｄ１〜Ｄ３に断続的に供給し、かつ、電流供給の停止状態から開始状態への切り替えを発光素子ごとに異なるタイミングで行なうＰＷＭ制御回路１とを備える。【選択図】        図１
2006352011.tif 000002
【特許請求の範囲】
【請求項１】
複数個の発光素子を点灯させる発光制御回路であって、
前記各発光素子に供給するための電流を発生する電流源回路と、
前記各発光素子に対応して配置され、前記電流源回路が発生した電流を前記各発光素子にそれぞれ供給するか否かを切り替えるスイッチと、
前記各スイッチを制御して、前記電流源回路が発生した電流を前記各発光素子に断続的に供給し、かつ、前記電流供給の停止状態から開始状態への切り替えを前記発光素子ごとに異なるタイミングで行なう制御回路とを備える発光制御回路。
【請求項２】
前記制御回路は、前記各発光素子への電流供給を等しい周期で行ない、かつ、前記各発光素子で前記周期の開始タイミングを異ならせる請求項１記載の発光制御回路。
【請求項３】
前記制御回路は、前記周期の開始タイミングを等間隔に異ならせる請求項２記載の発光制御回路。
【請求項４】
前記間隔は、前記各発光素子に電圧を印加する電源回路の出力電圧が安定する時間以上の時間である請求項３記載の発光制御回路。
【請求項５】
前記各発光素子はフィールドシーケンシャル方式を採用する表示装置のバックライトとして用いるＬＥＤである請求項１記載の発光制御回路。
【請求項６】
前記各発光素子はフィールドシーケンシャル方式を採用する表示装置のバックライトとして用いる複数色のＬＥＤのうちの同一色に対応するＬＥＤである請求項５記載の発光制御回路。
【請求項７】
複数個の発光素子を点灯させる発光制御回路であって、
前記各発光素子に供給するための電流を発生する電流源回路と、
前記各発光素子に対応して配置され、前記電流源回路が発生した電流を前記各発光素子にそれぞれ供給するか否かを切り替えるスイッチと、
前記各スイッチを制御して、前記電流源回路が発生した電流を前記各発光素子に断続的に供給する制御回路と、
前記各発光素子に対応して配置され、前記制御回路の行なうスイッチ制御のタイミングを前記発光素子ごとに異ならせる遅延回路とを備える発光制御回路。
【請求項８】
複数個の発光素子と、
前記各発光素子に供給するための電流を発生する電流源回路と、
前記各発光素子に対応して配置され、前記電流源回路が発生した電流を前記各発光素子にそれぞれ供給するか否かを切り替えるスイッチと、
前記各スイッチを制御して、前記電流源回路が発生した電流を前記各発光素子に断続的に供給し、かつ、前記電流供給の停止状態から開始状態への切り替えを前記発光素子ごとに異なるタイミングで行なう制御回路とを備える照明装置。
【請求項９】
複数個の発光素子を点灯させる発光制御回路を有する携帯情報端末であって、
前記発光制御回路は、
前記各発光素子に供給するための電流を発生する電流源回路と、
前記各発光素子に対応して配置され、前記電流源回路が発生した電流を前記各発光素子にそれぞれ供給するか否かを切り替えるスイッチと、
前記各スイッチを制御して、前記電流源回路が発生した電流を前記各発光素子に断続的に供給し、かつ、前記電流供給の停止状態から開始状態への切り替えを前記発光素子ごとに異なるタイミングで行なう制御回路とを備える携帯情報端末。
【発明の詳細な説明】
【技術分野】
【０００１】
本発明は、発光制御回路ならびにそれを備えた照明装置および携帯情報端末に関し、特に、複数個の発光素子を点灯させる発光制御回路ならびにそれを備えた照明装置および携帯情報端末に関する。
【背景技術】
【０００２】
携帯電話機およびＰＤＡ（Personal Data Assistant）等の携帯情報端末は、ＬＥＤ（Light-Emitting Diode）素子をＬＣＤ（Liquid Crystal Display）表示装置のバックライトとして用い、また、ＣＣＤ（Charge-Coupled Device）を用いたカメラのフラッシュとして用い、また、発光色の異なるＬＥＤ素子を点滅させてイルミネーションとして用いる等、ＬＥＤ素子を各種の目的に利用している。
【０００３】
ここで、ＬＥＤの輝度をＰＷＭ（パルス幅変調：Pulse  Width  Modulation）制御によって調整する方法が知られている。これは、ＬＥＤに流れる電流のパルス幅（時間幅）を変化させる、すなわち、ＬＥＤに流れる電流のパルスのデューティ比を変化させてＬＥＤの輝度を調整する方法である。
【０００４】
たとえば、特許文献１には以下のような発光制御回路が開示されている。すなわち、
通信回路と共に電池の電力で作動する携帯形電話機の発光制御回路において、発光素子が複数設けられ、これらの発光素子には発光色の異なるものが含まれており、各色の発光素子は個々にパルス幅変調方式で駆動されるものであり、かつ、出力側に平滑回路の接続された昇圧回路が設けられ、その出力が発光素子に供給される。
【特許文献１】特開２００２−１１１７８６号公報
【発明の開示】
【発明が解決しようとする課題】
【０００５】
ところで、発光素子を点灯させるためには発光素子の順方向電圧（Ｖｆ）以上の所定の電圧を発光素子に印加する必要がある。しかしながら、特許文献１記載の発光制御回路では、複数の発光素子が消灯状態から点灯状態へ遷移する際に、複数の発光素子に対して同時に電流供給が開始されるために昇圧回路の出力電流が急増し、平滑回路の能力が十分でない場合には昇圧回路の出力電圧が一時的に大幅に低下してしまう。そうすると、発光素子に所定の電圧が供給されるまでは発光素子が点灯しないため、特許文献１記載の発光制御回路では、複数の発光素子を点灯させる制御を行なってから各発光素子が実際に点灯するまでの遅延時間が増大することにより、輝度および色あいにムラができることがあった。
【０００６】
それゆえに、本発明の目的は、複数の発光素子を点灯させる制御を行なってから各発光素子が実際に点灯するまでの遅延時間の増大を防ぐことにより、輝度および色あいのムラの発生を抑えることが可能な発光制御回路ならびにそれを備えた照明装置および携帯情報端末を提供することである。
【課題を解決するための手段】
【０００７】
上記課題を解決するために、本発明のある局面に係わる発光制御回路は、複数個の発光素子を点灯させる発光制御回路であって、各発光素子に供給するための電流を発生する電流源回路と、各発光素子に対応して配置され、電流源回路が発生した電流を各発光素子にそれぞれ供給するか否かを切り替えるスイッチと、各スイッチを制御して、電流源回路が発生した電流を各発光素子に断続的に供給し、かつ、電流供給の停止状態から開始状態への切り替えを発光素子ごとに異なるタイミングで行なう制御回路とを備える。
【０００８】
好ましくは、制御回路は、各発光素子への電流供給を等しい周期で行ない、かつ、各発光素子で周期の開始タイミングを異ならせる。
【０００９】
より好ましくは、制御回路は、周期の開始タイミングを等間隔に異ならせる。
より好ましくは、間隔は、各発光素子に電圧を印加する電源回路の出力電圧が安定する時間以上の時間である。
【００１０】
好ましくは、各発光素子はフィールドシーケンシャル方式を採用する表示装置のバックライトとして用いるＬＥＤである。
【００１１】
より好ましくは、各発光素子はフィールドシーケンシャル方式を採用する表示装置のバックライトとして用いる複数色のＬＥＤのうちの同一色に対応するＬＥＤである。
【００１２】
また本発明のさらに別の局面に係わる発光制御回路は、複数個の発光素子を点灯させる発光制御回路であって、各発光素子に供給するための電流を発生する電流源回路と、各発光素子に対応して配置され、電流源回路が発生した電流を各発光素子にそれぞれ供給するか否かを切り替えるスイッチと、各スイッチを制御して、電流源回路が発生した電流を各発光素子に断続的に供給する制御回路と、各発光素子に対応して配置され、制御回路の行なうスイッチ制御のタイミングを発光素子ごとに異ならせる遅延回路とを備える。
【００１３】
また本発明のある局面に係わる照明装置は、複数個の発光素子と、各発光素子に供給するための電流を発生する電流源回路と、各発光素子に対応して配置され、電流源回路が発生した電流を各発光素子にそれぞれ供給するか否かを切り替えるスイッチと、各スイッチを制御して、電流源回路が発生した電流を各発光素子に断続的に供給し、かつ、電流供給の停止状態から開始状態への切り替えを発光素子ごとに異なるタイミングで行なう制御回路とを備える。
【００１４】
また本発明のある局面に係わる携帯情報端末は、複数個の発光素子を点灯させる発光制御回路を有する携帯情報端末であって、発光制御回路は、各発光素子に供給するための電流を発生する電流源回路と、各発光素子に対応して配置され、電流源回路が発生した電流を各発光素子にそれぞれ供給するか否かを切り替えるスイッチと、各スイッチを制御して、電流源回路が発生した電流を各発光素子に断続的に供給し、かつ、電流供給の停止状態から開始状態への切り替えを発光素子ごとに異なるタイミングで行なう制御回路とを備える。
【発明の効果】
【００１５】
本発明によれば、複数の発光素子を点灯させる制御を行なってから各発光素子が実際に点灯するまでの遅延時間の増大を防ぐことにより、輝度および色あいのムラの発生を抑えることができる。また、昇圧回路および平滑回路等に必要以上の能力を持たせる必要がなくなるので、これらの回路面積を低減して機器を小型化できるようになる。
【発明を実施するための最良の形態】
【００１６】
以下、本発明の実施の形態について図面を用いて説明する。なお、図中同一または相当部分には同一符号を付してその説明は繰り返さない。
【００１７】
＜第１の実施の形態＞
［構成および基本動作］
図１は、本発明の第１の実施の形態に係る発光制御回路の構成を示す機能ブロック図である。同図を参照して、発光制御回路は、ＰＷＭ制御回路１と、昇圧回路２と、スイッチＳＷ１〜ＳＷ３と、定電流ドライバ（駆動回路）Ｋ１〜Ｋ３とを備える。
【００１８】
昇圧回路２は、図示しない電源から供給される電源電圧Ｖｃｃを所定の電圧に昇圧し、発光素子Ｄ１〜Ｄ３に供給する。定電流ドライバＫ１〜Ｋ３は、所定の電流を発光素子Ｄ１〜Ｄ３に供給する。
【００１９】
スイッチＳＷ１〜ＳＷ３は、ＰＷＭ制御回路１の制御に基づいて、定電流ドライバＫ１〜Ｋ３が発生した電流をそれぞれ発光素子Ｄ１〜Ｄ３に供給するか否かを切り替える。
【００２０】
ＰＷＭ制御回路１は、スイッチＳＷ１〜ＳＷ３を各々制御して、発光素子Ｄ１〜Ｄ３に定電流ドライバＫ１〜Ｋ３が発生した電流をパルス幅変調方式に基づいて周期的に供給する。
【００２１】
［動作］
次に、本実施の形態に係る発光制御回路が発光素子にＰＷＭ制御を行なう際の動作について説明する。
【００２２】
まず、比較のために、本実施の形態に係る発光制御回路において従来のＰＷＭ制御が行なわれた場合の動作について説明する。図２は、従来のＰＷＭ制御が行なわれた場合における各発光素子に流れる電流を示す図である。ここで、発光素子Ｄ１〜Ｄ３の点灯時における各消費電流は３０ｍＡであり、また、昇圧回路２は、たとえば３．６Ｖの電源電圧Ｖｃｃを８Ｖに昇圧し、この昇圧のために出力電流の３倍の電流を電源から入力する必要があると仮定して説明する。また、発光素子Ｄ１〜Ｄ３は赤色（Ｒ）、緑色（Ｇ）および青色（Ｂ）等の特性および輝度等が異なるため、電流が供給される時間、すなわちデューティ比が異なるものと仮定して説明する。
【００２３】
同図を参照して、発光素子Ｄ１〜Ｄ３にはパルス幅変調方式に基づいてそれぞれデューティ比６０％、４０％、２０％の電流が供給されている。また、各発光素子へは同一タイミングで電流供給が開始されている。ここで、電流Ｉｏ１〜Ｉｏ３は発光素子Ｄ１〜Ｄ３の点灯時においてそれぞれ３０ｍＡであるが、電源から昇圧回路２に供給すべき電源電流Ｉｂａｔは発光素子ごとに９０ｍＡとなるため、０ｍＡから２７０ｍＡの急峻な負荷変動が生じる、すなわち昇圧回路２の出力電流が、０ｍＡから２７０ｍＡまで一時に上昇する。したがって、従来のＰＷＭ制御では、昇圧回路２の出力電圧が一時的に低下した後、昇圧回路２の出力電圧の回復を待って、発光素子Ｄ１〜Ｄ３を点灯させるために電流供給を開始する、すなわちＰＷＭ制御回路１がスイッチＳＷ１〜ＳＷ３をオフ状態からオン状態に切り替えてから発光素子Ｄ１〜Ｄ３が実際に点灯するまでの遅延時間が増大してしまう。一方、出力電圧の回復を待たない場合には、各発光素子の発光タイミングにズレが生じ、また、各発光素子の輝度に相違が生じていた。
【００２４】
これに対して本実施の形態に係る発光制御回路では、電流供給の停止状態から開始状態への切り替えを発光素子ごとに異なるタイミングで行なう。図３は、本発明の第１の実施の形態に係る発光制御回路が各発光素子にＰＷＭ制御を行なう際の発光素子Ｄ１〜Ｄ３に流れる電流を示す図である。ＴｐｗｍはＰＷＭ制御回路１が行なうＰＷＭ変調方式の周期である。図の他の見方は図２と同様である。
【００２５】
ＰＷＭ制御回路１は、スイッチＳＷ１〜ＳＷ３を制御して、発光素子Ｄ１〜Ｄ３に定電流ドライバＫ１〜Ｋ３が発生した電流を周期Ｔｐｗｍのパルス幅変調方式で供給し、かつ、各発光素子に対する電流供給の停止状態から開始状態への切り替えをＴｐｗｍ／３間隔で行なう。
【００２６】
まず、ＰＷＭ制御回路１は、ＰＷＭ変調方式の周期開始直前においてスイッチＳＷ１〜ＳＷ３をすべてオフ状態としており、発光素子Ｄ１〜Ｄ３へ電流を供給していない。
【００２７】
そして、ＰＷＭ制御回路１は、ＰＷＭ変調方式の周期開始時に、スイッチＳＷ１をオン状態として発光素子Ｄ１への電流供給を開始する。このとき、昇圧回路２の出力電流は０ｍＡから９０ｍＡに変化するため、負荷変動は９０ｍＡである。
【００２８】
次に、ＰＷＭ制御回路１は、発光素子Ｄ１への電流供給を開始してからＴｐｗｍ／３だけ経過した後に、スイッチＳＷ２をオン状態として発光素子Ｄ２への電流供給を開始する。このとき、昇圧回路２の出力電流は９０ｍＡから１８０ｍＡに変化するため、負荷変動は９０ｍＡである。
【００２９】
次に、ＰＷＭ制御回路１は、スイッチＳＷ１をオフ状態として発光素子Ｄ１への電流供給を停止する。このとき、昇圧回路２の出力電流は１８０ｍＡから９０ｍＡに変化する。
【００３０】
次に、ＰＷＭ制御回路１は、発光素子Ｄ２への電流供給を開始してからＴｐｗｍ／３だけ経過した後に、スイッチＳＷ３をオン状態として発光素子Ｄ３への電流供給を開始する。このとき、昇圧回路２の出力電流は９０ｍＡから１８０ｍＡに変化するため、負荷変動は９０ｍＡである。
【００３１】
次に、ＰＷＭ制御回路１は、スイッチＳＷ２をオフ状態として発光素子Ｄ２への電流供給を停止する。このとき、昇圧回路２の出力電流は１８０ｍＡから９０ｍＡに変化する。
【００３２】
次に、ＰＷＭ制御回路１は、スイッチＳＷ３をオフ状態として発光素子Ｄ３への電流供給を停止する。このとき、昇圧回路２の出力電流は９０ｍＡから０ｍＡに変化する。
【００３３】
そして、ＰＷＭ制御回路１は、発光素子Ｄ３への電流供給を開始してからＴｐｗｍ／３だけ経過した後、すなわちＰＷＭ変調方式の次の周期の開始時に、スイッチＳＷ１を再びオン状態として発光素子Ｄ１への電流供給を開始する。
【００３４】
ところで、特許文献１記載の発光制御回路では、複数の発光素子が消灯状態から点灯状態へ遷移する際に、複数の発光素子に対して同時に電流供給が開始されるために昇圧回路の出力電圧が一時的に大幅に低下してしまい、複数の発光素子を点灯させる制御を行なってから各発光素子が実際に点灯するまでの遅延時間が増大していた。
【００３５】
しかしながら、本実施の形態に係る発光制御回路では、電流供給の停止状態から開始状態への切り替えを発光素子ごとに異なるタイミングで行なうため、発光素子１個の点灯に必要な電流、すなわち９０ｍＡに負荷変動を抑えることができ、複数の発光素子を点灯させる制御を行なってから各発光素子が実際に点灯するまでの遅延時間の増大を防ぐことができる。
【００３６】
また、本実施の形態に係る発光制御回路では、ＰＷＭ制御回路１は、スイッチＳＷ１〜ＳＷ３を制御して、発光素子Ｄ１〜Ｄ３への電流供給を等しい周期で行なう。このような構成により、ＰＷＭ制御回路１の構成および発光素子Ｄ１〜Ｄ３に対する点灯制御の簡易化を図ることができる。
【００３７】
さらに、本実施の形態に係る発光制御回路では、ＰＷＭ制御回路１は、各発光素子に対する電流供給の停止状態から開始状態への切り替えをＴｐｗｍ／３間隔で行なう。このように発光素子Ｄ１〜Ｄ３への周期的な電流供給の開始タイミングを等間隔に設定することにより、ＰＷＭ制御回路１の構成および発光素子Ｄ１〜Ｄ３に対する点灯制御の簡易化をさらに図ることができる。なお、ＰＷＭ制御回路１の行なう各発光素子に対する切り替えのタイミングはＴｐｗｍ／３間隔、すなわち（１／発光素子数）間隔に限定されるものではなく、発光素子に電圧を印加する昇圧回路等の電源回路の出力電圧が安定するために必要な時間以上の時間であれば、（１／発光素子数）よりも短い間隔で各発光素子に対する切り替えを行なってもよい。
【００３８】
［照明装置］
また、本発明は照明装置にも適用可能である。すなわち、照明装置は、図１に示す第１の実施の形態に係る発光制御回路に加えて発光素子Ｄ１〜Ｄ３を備える構成である。
【００３９】
［携帯情報端末］
図４は、本発明の第１の実施の形態に係る発光制御回路を有する携帯情報端末の構成図である。
【００４０】
同図を参照して、携帯情報端末は、発光制御回路３１〜３２と、操作部１１と、発光部１２と、処理ブロック１３と、通信処理部１４と、ＬＣＤモニタ１５とを含む。また、発光部１２は、ＬＥＤ２１と、処理部２２とを含み、処理ブロック１３は、ＣＰＵ（Central  Processing  Unit）２３と、メモリ２４とを含む。
【００４１】
以下、携帯情報端末は携帯電話であると仮定して説明するが、携帯情報端末はＰＤＡ等であってもよい。
【００４２】
通信処理部１４は、通信に必要な処理を実行する。すなわち、通信処理部１４は、ＰＤＣ（Personal  Digital  Cellular  System）、簡易型携帯電話システム、ＣＤＭＡ（Code  Division  Multiple  Access）、ＩｒＤＡ（Infrared Data Association）方式等の移動通信システムにおける通信に必要な処理を実行する。
【００４３】
操作部１１は、ユーザが電話番号等を入力するためのボタンを含み、ユーザの操作を検出する。
【００４４】
発光部１２は、携帯電話が着信した場合に、ＬＥＤ２１をイルミネーションとして点滅させる。処理部２２は、ＬＥＤ２１を点滅させるための処理を実行する。より詳細には、処理部２２は、ＬＥＤ２１を点滅させる命令を表わす制御信号を発光制御回路３１に含まれるＰＷＭ制御回路１へ出力する。そして、発光制御回路３１は、処理部２２から受けた制御信号に基づいてＬＥＤ２１へ電流を供給して点滅させる。
【００４５】
処理ブロック１３は、携帯電話の各ブロックを制御する。
ＬＣＤモニタ１５は、通信を行っている相手の電話番号、電子メールの内容および画像等を表示する。ここで、処理ブロック１３は、ＬＣＤモニタ１５に画像等を表示するとともに制御信号を発光制御回路３２におけるＰＷＭ制御回路１へ出力する。そして、発光制御回路３１は、処理ブロック１３から受けた制御信号に基づいてＬＣＤモニタ１５に含まれるＬＥＤへ電流を供給する。
【００４６】
次に、本発明の他の実施の形態について図面を用いて説明する。なお、図中同一または相当部分には同一符号を付してその説明は繰り返さない。
【００４７】
＜第２の実施の形態＞
本実施の形態は、公知のフィールドシーケンシャル方式に対応し、第１の実施の形態と比べて多数の発光素子を制御する発光制御回路に関する。
【００４８】
図５は、本発明の第２の実施の形態に係る発光制御回路の構成を示す回路図である。同図を参照して、発光制御回路は、第１の実施の形態に係る発光制御回路に対して、さらに、発光素子Ｄ４〜Ｄ９と、ＳＷ４〜ＳＷ９と、定電流ドライバ（駆動回路）Ｋ４〜Ｋ９とを備える。
【００４９】
発光素子Ｄ１〜Ｄ３は赤色（Ｒ）で発光し、発光素子Ｄ４〜Ｄ６は緑色（Ｇ）で発光し、発光素子Ｄ７〜Ｄ９は青色（Ｂ）で発光する。
【００５０】
ＰＷＭ制御回路１は、スイッチＳＷ１〜ＳＷ９を制御して、定電流ドライバＫ１〜Ｋ９が発生した電流を、Ｒ，Ｇ，Ｂの各色に対応するデューティ比で発光素子Ｄ１〜Ｄ９に周期的に供給する。
【００５１】
ＰＷＭ制御回路１は、スイッチＳＷ１〜ＳＷ９を制御して、Ｒ，Ｇ，Ｂの各色に対応する発光素子Ｄ１〜Ｄ３、発光素子Ｄ４〜Ｄ６および発光素子Ｄ７〜Ｄ９を１フレーム内で色ごとに時分割して点灯させる。さらに、時分割された各色の点灯期間において、ＰＷＭ制御回路１は、電流供給の停止状態から開始状態への切り替えを発光素子ごとに異なるタイミングで行なう。
【００５２】
そして、発光素子Ｄ１〜Ｄ９をＬＣＤ表示装置のバックライトとして使用し、ＬＣＤ表示装置における液晶フィルタのバックライトを高速で切り替えることにより、目の残像効果でフルカラー画像が表示される。
【００５３】
その他の構成および動作は第１の実施の形態に係る発光制御回路と同様である。したがって、本実施の形態に係る発光制御回路では、第１の実施の形態に係る発光制御回路と同様に、複数の発光素子を点灯させる制御を行なってから各発光素子が実際に点灯するまでの遅延時間の増大を防ぐことができる。
【００５４】
ところで、１フレームはたとえば１／６０秒に相当するため、Ｒ，Ｇ，Ｂの各色に対応する発光素子の組、すなわち発光素子Ｄ１〜Ｄ３、発光素子Ｄ４〜Ｄ６および発光素子Ｄ７〜Ｄ９ごとに点灯状態および消灯状態を１／１８０秒で切り替えることが要求される。したがって、本実施の形態に係る発光制御回路を、公知のフィールドシーケンシャル方式を採用するＬＣＤ表示装置のバックライトに使用した場合には、複数個の発光素子を点灯させる制御を行なってから各発光素子が実際に点灯するまでの遅延時間の増大を防ぎながら、供給電流の急激な増大を防止することにより、複数個の発光素子について安定した輝度を得ることができるため、特に使用効果が大きい。また、第１の実施の形態に係る発光制御回路についても、発光素子Ｄ１〜Ｄ３が、公知のフィールドシーケンシャル方式を採用するＬＣＤ表示装置のバックライトとして用いる複数色の発光素子のうちの同一色の発光素子に対応する場合には、特に使用効果が大きい。
【００５５】
次に、本発明の他の実施の形態について図面を用いて説明する。なお、図中同一または相当部分には同一符号を付してその説明は繰り返さない。
【００５６】
＜第３の実施の形態＞
本実施の形態は、ＰＷＭ制御回路１の制御を簡易化する発光制御回路に関する。
【００５７】
図６は、本発明の第３の実施の形態に係る発光制御回路の構成を示す回路図である。同図を参照して、発光制御回路は、第１の実施の形態に係る発光制御回路に対して、さらに、遅延回路ＤＬ１〜ＤＬ３を備える。
【００５８】
スイッチＳＷ１〜ＳＷ３は、遅延回路ＤＬ１〜ＤＬ３経由でＰＷＭ制御回路１から受けた制御信号に基づいて、定電流ドライバＫ１〜Ｋ３が発生した電流をそれぞれ発光素子Ｄ１〜Ｄ３に供給するか否かを切り替える。
【００５９】
ＰＷＭ制御回路１は、遅延回路ＤＬ１〜ＤＬ３経由でスイッチＳＷ１〜ＳＷ３へ共通の制御信号を出力して、発光素子Ｄ１〜Ｄ３に定電流ドライバＫ１〜Ｋ３が発生した電流をパルス幅変調方式に基づいて周期的に供給する。
【００６０】
遅延回路ＤＬ１〜ＤＬ３は、ＰＷＭ制御回路１から受けた制御信号をそれぞれ異なる時間だけ遅延させてスイッチＳＷ１〜ＳＷ３へ出力する。すなわち、遅延回路ＤＬ１〜ＤＬ３は、ＰＷＭ制御回路１の行なうスイッチＳＷ１〜ＳＷ３の制御タイミングを発光素子ごとに異ならせる。
【００６１】
その他の構成および動作は第１の実施の形態に係る発光制御回路と同様であるしたがって、本実施の形態に係る発光制御回路では、電流供給の停止状態から開始状態への切り替えを発光素子ごとに異なるタイミングで行なうことができ、複数の発光素子を点灯させる制御を行なってから各発光素子が実際に点灯するまでの遅延時間の増大を防ぐことができる。
【００６２】
また、本実施の形態に係る発光制御回路では、ＰＷＭ制御回路１はスイッチＳＷ１〜ＳＷ３へ共通の制御信号を出力する。このような構成により、ＰＷＭ制御回路１の処理の簡易化を図ることができる。
【００６３】
［変形例］
本発明は、上記実施の形態に限定されるものではなく、たとえば以下の変形例も含まれる。
【００６４】
（１）  周期的な電流供給
本発明の実施の形態に係る発光制御回路では、ＰＷＭ制御回路１は、発光素子Ｄ１〜Ｄ３にパルス幅変調方式に基づいて周期的に電流を供給する構成としたが、これに限定するものではない。ＰＷＭ制御回路１が周期的ではなく、断続的に発光素子Ｄ１〜Ｄ３に電流を供給し、かつ、電流供給の停止状態から開始状態への切り替えを発光素子ごとに異なるタイミングで行なう構成とすることができる。このような構成であっても、本発明の目的を達成することができる。
【００６５】
（２）  ＰＷＭ制御
本発明の実施の形態に係る発光制御回路では、ＰＷＭ制御回路１は、発光素子Ｄ１〜Ｄ３にパルス幅変調方式に基づいて周期的に電流を供給する構成としたが、これに限定するものではない。ＰＷＭ制御回路１がパルス幅変調方式を用いず、デューティ比を固定して単にパルス状の電流を発光素子Ｄ１〜Ｄ３に供給し、かつ、電流供給の停止状態から開始状態への切り替えを発光素子ごとに異なるタイミングで行なう構成とすることができる。このような構成であっても、本発明の目的を達成することができる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明の第１の実施の形態に係る発光制御回路の構成を示す機能ブロック図である。
【図２】従来のＰＷＭ制御が行なわれた場合における各発光素子に流れる電流を示す図である。
【図３】本発明の第１の実施の形態に係る発光制御回路が各発光素子にＰＷＭ制御を行なう際の発光素子Ｄ１〜Ｄ３に流れる電流を示す図である。
【図４】本発明の第１の実施の形態に係る発光制御回路を有する携帯情報端末の構成図である。
【図５】本発明の第２の実施の形態に係る発光制御回路の構成を示す回路図である。
【図６】本発明の第３の実施の形態に係る発光制御回路の構成を示す回路図である。
【符号の説明】
【００６８】
ＳＷ１〜ＳＷ９  スイッチ、Ｄ１〜Ｄ９  発光素子、Ｋ１〜Ｋ９  定電流ドライバ（駆動回路）、ＤＬ１〜ＤＬ３  遅延回路、１  ＰＷＭ制御回路、２  昇圧回路、１１  操作部、１２  発光部、１３  処理ブロック、１４  通信処理部、１５  ＬＣＤモニタ、２１  ＬＥＤ、２２  処理部、２３  ＣＰＵ、２４  メモリ、３１〜３２  発光制御回路。
【図１】
2006352011.tif 000003
【図２】
2006352011.tif 000004
【図３】
2006352011.tif 000005
【図４】
2006352011.tif 000006
【図５】
2006352011.tif 000007
【図６】
2006352011.tif 000008